(57)【要約】【課題】振動発振クッションのワイヤを削減して使い勝手を向上する。【構成】振動体を埋め込んだ体感振動クッションにおいて、前記振動体がクッション内部に埋め込まれていることに加えて前記振動体を駆動する駆動回路が前記クッションに埋め込まれていることを特徴とする体感振動クッション。【選択図】図１
2006289006.tif 000002
【特許請求の範囲】
【請求項１】
振動体を埋め込んだ体感振動クッションにおいて、前記振動体がクッション内部に埋め込まれていることに加えて前記振動体を駆動する駆動回路が前記クッションに埋め込まれていることを特徴とする体感振動クッション。
【請求項２】
請求項１の体感振動クッションにおいて、前記埋め込まれた駆動回路に無線機能が具備されていることを特徴とする体感振動クッション。
【請求項３】
請求項２の体感振動クッションにおいて、クッションに埋め込まれた前記振動体および無線機能付き駆動回路に加えて、無線機能の付いたリモートコントローラをクッション外部に備えていることを特徴とする体感振動クッション。
【請求項４】
請求項２または３の体感振動クッションの使用方法において、前記駆動回路に無線信号で音楽信号を送信して前記振動体がこの音楽信号に応じて振動することを特徴とする体感振動クッションの使用方法。
【発明の詳細な説明】
【技術分野】  本発明は体感振動クッションおよびその使用方法に関する。
【背景技術】
【０００１】  従来の体感振動クッションは図４に描いたものであった。図４において、１はクッション、２は振動体、４は駆動信号伝達ケーブル、１００は駆動回路兼コントローラ、１０１はＡＣ１００Ｖコンセントである。１０２はオーディオ機器、１０３はスピーカー、１０４はオーディオ信号ケーブルである。このように駆動信号伝達ケーブルとオーディオ信号ケーブルの２本のケーブルが必要であった。従来、音楽と連動させて身体に振動を与える装置はいくつか考案されてきた。特開２００２−１７５１３号公報ではビートソニック社から音響用シートに関する発明が提案されている。主に劇場設置を目的としたスピーカーと振動子とのクロストーク対策に関するものである。特開２００２−４４７６８号公報ではアクーヴ・ラボから体感音響装置用椅子に関する発明が提案されている。軽量椅子を効率的に振動させることに関するものである。特開２００３−１１１１７７号公報では（株）デノンから音楽観賞用椅子に関する発明が提案されている。信号遅延対策に関するものである。特開２００３−３０５４０９号公報では東京パーツ工業（株）から移動体通信装置用薄型電磁音響変換器とその使用方法に関する発明が提案されている。携帯電話のサイレントコールなどを狙った発明である。特開２００４−２０２４６４号公報では平野氏から振動装置に関する発明が提案されている。エアポンプ機能を付加することでマッサージ機器へ応用するアイディアである。特開２００５−６６５８５号公報では同じく平野氏から多機能振動装置に関する発明が提案されている。これもエアポンプ機能を付加することでマッサージ機器へ応用するアイディアである。
【特許文献１】特開２００２−１７５１３号公報（第１頁）
【特許文献２】特開２００２−４４７６８号公報（第１頁）
【特許文献３】特開２００３−１１１１７７号公報（第１頁）
【特許文献４】特開２００３−３０５４０９号公報（第１頁）
【特許文献５】特開２００４−２０２４６４号公報（第１頁）
【特許文献６】特開２００５−６６５８５号公報（第１頁）
【発明の開示】
【発明が解決しようとする課題】
【０００２】従来の技術では劇場などでの固定椅子に振動子を埋め込んだ体感振動機器を前提としていたので振動子、駆動回路、コントローラ、音源とをつなぎ合わせるケーブルは前記固定椅子設置の際に引き回して配線してしまえばよく、ケーブル配線については特に工夫をしてこなかったのが現実である。上記列記した従来技術においても固定椅子への振動子埋め込みが前提となっているものがほとんどである。しかしながら、音楽鑑賞の際にもっと手軽に体感振動を味わいたいという要望が高まっている。クッションに埋め込んだ振動体で体感振動を楽しむ場合、コントローラや音源との間のケーブルが邪魔に感じるものである。従来の技術ではこの点について考案がなされていない。本発明では体感振動クッションで手軽に体感振動を楽しむための課題を解決しようとしている。
【課題を解決するための手段】
【０００３】  第１に、振動体を埋め込んだ体感振動クッションである特徴に加えて、前記振動体がクッション内部に埋め込まれていることと前記振動体を駆動する駆動回路が前記クッションに埋め込まれていることを特徴とし、
第２に、前記第１の特徴に加えて、前記埋め込まれた駆動回路に無線機能が具備されていることを特徴とし、
第３に、前記第２の特徴に加えて、クッションに埋め込まれた前記振動体および無線機能付き駆動回路に加えて、無線機能の付いたリモートコントローラをクッション外部に備えていることを特徴とし、
第４に、前記第２または第３の特徴を備える体感クッションの使用方法として、前記駆動回路に無線信号で音楽信号を送信して前記振動体がこの音楽信号に応じて振動することを特徴とする。
【発明の効果】
【０００４】  本発明の体感振動クッションを用いると、オーディオを単に耳からの音響だけでなく体に直接振動を与えることができる。昨今、オーディオ装置は小型で可動性が高まっており、また、生活スタイルも重厚な応接セットで音楽鑑賞するのではなく部屋のソファーや食卓の椅子など様々な場所に移動して楽しむことが多くなっている。本発明は体感振動クッションの可動性を高めて体感振動を楽しむ機会をさらに増やすことができる。
【発明を実施するための最良の形態】
【０００５】  本発明を実施するための最良の形態について図１を用いて説明する。図１はクッション１に低周波を発振できる振動体２を埋め込んである。埋め込み位置はこのクッションに寄りかかる人の腰の上辺りの背骨付近に面する位置である。前記振動体を振動させる駆動回路３はクッションの脇の部分に埋め込む。この振動体と駆動回路との間は駆動信号伝達ケーブル４で接続されている。１０１はＡＣ１００Ｖコンセントである。駆動回路で必要とする電力を壁コンセントから得ることができて、ハイパワーの振動を発振できる。振動体の振動強度や振動の周波数特性などを調整するためのコントローラ５は無線で前記駆動回路を制御する。このため、前記駆動回路には駆動回路無線装置６が備えられている。コントローラにはコントローラ無線装置７が備えられており、この２つの無線装置間、すなわち、駆動回路無線装置とコントローラ無線装置との間はコントローラ駆動回路間無線信号８で通信を行う。同様にオーディオ機器１０２と前期駆動回路との間は、前記駆動回路無線装置とオーディオ機器無線装置９との間で無線によって取り交わされる。その信号を図ではオーディオ機器駆動回路間無線信号１０として描いた。オーディオ機器にはスピーカー１０３が備えられている。
【実施例】
【０００６】本発明の第１の実施例は図１に描かれている。これは発明を実施するための最良の形態として上記説明した内容のものである。より具体的には各機器間の無線はブルーツースなどの商用近距離無線を使うことによって低コストで製造する場合がある。振動体および駆動回路はそれぞれ低消費電力のものを用いることでクッションの発熱を抑制するとともに、前記ＡＣ１００Ｖコンセントに接続した配線を細いものにしている。駆動回路で消費される電力が少なければ配線は細くできる。【０００７】本発明の第２の実施例が図２に描かれている。図１と同様であるが実施例１で備えていたＡＣ１００Ｖコンセントを備えていない例である。振動体２と駆動回路３の省電力を実施例１よりもさらに低消費電力にすることによって電池での駆動を可能にした例である。この実施例２ではケーブルは外部に１本も出ていない。【０００８】本発明の第３の実施例を図３に描く。図１と同様の実施例であるが、無線用のターミナルボックス１１をクッションの外部に備えていることが特徴である。前記ターミナルボックスにはターミナルボックス無線装置１２が具備されている。ターミナルボックスは様々なオーディオ機器のオーディオ信号を振動体の駆動回路３に合致させる変換機能を備えている。また、ターミナルボックス自身にはＡＣ１００Ｖコンセント１０１が具備されていて、このターミナルボックスから無線信号によって駆動回路３に電力を供給する機能も備えている。すなわち、ターミナルボックス無線装置１２は信号のやりとりの他に電力をターミナルボックスから駆動回路に供給するためにも使われている。電力等供給無線１３およびオーディオ信号無線１４をそれぞれ図示してある。
【図面の簡単な説明】
【０００９】
【図１】本発明の第１の実施例を示す構成図
【図２】本発明の第２の実施例を示す構成図
【図３】本発明の第３の実施例を示す構成図
【図４】従来例を示す構成図
【符号の説明】
【００１０】１はクッション、２は振動体、３は駆動回路、４は駆動信号伝達ケーブル、５はコントローラ、６は駆動回路無線装置、７はコントローラ無線装置、８はコントローラ駆動回路間無線信号、９はオーディオ機器無線装置、１０はオーディオ機器駆動回路間無線信号、１１はターミナルボックス、１２はターミナルボックス無線装置、１３は電力等供給無線、１４はオーディオ信号無線、１００は駆動回路兼コントローラ、１０１はＡＣ１００Ｖコンセント、１０２はオーディオ機器、１０３はスピーカー、１０４はオーディオ信号ケーブルである。
【図１】
2006289006.tif 000003
【図２】
2006289006.tif 000004
【図３】
2006289006.tif 000005
【図４】
2006289006.tif 000006